(57)【要約】【課題】投票したレースを表示する表示装置を案内する。【解決手段】表示案内処理装置３０では、特定部３３は、表示競技場情報２１に基づき、投票情報に含まれる投票対象レースが実施される競技場（Ｂ場）に対応する表示装置４０ｂ（表示装置２）を特定する。印字要求部３４は、投票券発券装置１０に、投票情報と共に、特定した表示装置４０ｂ（表示装置２）で、競技場（Ｂ場）で実施されるレースが表示されることを印字させる。投票券発券装置１０は、競技場（Ｂ場）で実施されるレースが表示装置２（表示装置４０ｂ）で表示されることを印字した投票券２を発券する。投票者は、投票券２を取得すると、投票券２の印字面から、投票したレースを表示する表示装置４０ｂ（表示装置２）が案内されるために、投票したレースが表示される表示装置４０ｂ（表示装置２）を把握することができるようになる。【選択図】図１
2016091141.tif 000002
【特許請求の範囲】
【請求項１】
公営競技のレースに対する投票を受け付けて、前記投票に関する投票情報を印字した投票券を発券する投票券発券装置と、
競技場と前記競技場で実施されるレースを表示する表示装置とを対応付けた表示競技場情報に基づいて、前記レースを前記表示装置に表示させる映像編集装置と、
前記投票券発券装置から前記投票情報を受け付け、前記映像編集装置から前記表示競技場情報を受け付ける受付部と、前記表示競技場情報に基づき、前記投票情報に含まれる投票対象レースが実施される前記競技場に対応する前記表示装置を特定する特定部と、前記投票券発券装置に、前記投票情報と共に、前記競技場で実施される前記レースが、特定した前記表示装置に表示されることを印字させた前記投票券を発券させる印字要求部と、を有する表示案内処理装置と、
を含むことを特徴とする投票券発券処理システム。
【請求項２】
前記受付部は、前記投票を受け付けた前記投票券発券装置から前記投票券発券装置の第１位置情報を受け付けて、
前記特定部は、前記表示装置を複数特定した場合に、複数の前記表示装置の第２位置情報と、前記第１位置情報とに基づいて、前記投票を受け付けた前記投票券発券装置から最も近い前記表示装置を特定する、
ことを特徴とする請求項１記載の投票券発券処理システム。
【請求項３】
前記表示案内処理装置では、
前記受付部は、前記映像編集装置から、レースの発走時刻情報を受け付け、前記特定部は、前記投票情報に基づき、前記発走時刻情報から前記投票対象レースの発走時刻を特定し、前記印字要求部は、前記投票券発券装置に、前記投票対象レースの前記発走時刻を印字させた前記投票券を発券させる、
ことを特徴とする請求項１記載の投票券発券処理システム。
【請求項４】
前記表示案内処理装置は、前記投票を受け付けた前記投票券発券装置の第１位置情報と、特定した前記表示装置の第２位置情報とを含む表示案内情報を生成し、前記表示案内情報から二次元コードを生成する表示案内処理部を有し、
前記印字要求部は、前記投票券発券装置に前記二次元コードを印字させた前記投票券を発券させる、
ことを特徴とする請求項１記載の投票券発券処理システム。
【請求項５】
前記投票券発券装置は、前記二次元コードを読み取り、前記二次元コードから前記第１位置情報及び前記第２位置情報に変換する二次元コード読取部と、表示部とを備え、
前記表示案内処理装置は、前記第１位置情報及び前記第２位置情報に基づいて、前記表示装置と前記投票券発券装置との配置を表す表示装置配置図情報を生成し、前記投票券発券装置に前記表示装置配置図情報に基づいて、前記表示部に表示装置配置図を表示させる、
ことを特徴とする請求項４記載の投票券発券処理システム。
【請求項６】
公営競技のレースに対する投票を受け付けて、前記投票に関する投票情報を印字した投票券を発券する投票券発券装置から前記投票情報を受け付け、競技場と前記競技場で実施されるレースを表示する表示装置とを対応付けた表示競技場情報に基づいて、前記レースを前記表示装置に表示させる映像編集装置から前記表示競技場情報を受け付ける受付部と、
前記表示競技場情報に基づき、前記投票情報に含まれる投票対象レースが実施される前記競技場に対応する前記表示装置を特定する特定部と、
前記投票券発券装置に、前記投票情報と共に、前記競技場で実施される前記レースが、特定した前記表示装置に表示されることを印字させる印字要求部と、
を有することを特徴とする表示案内処理装置。
【発明の詳細な説明】
【技術分野】
【０００１】
本発明は、投票券発券処理システム及び表示案内処理装置に関する。
【背景技術】
【０００２】
競馬、競艇、競輪及びオートレース等の公営競技では、投票者は、所望のレースに対して投票を行う際には、投票券発券装置（または投票券発売機）を利用することができる。投票券発券装置は、投票者から投票情報（投票対象レースの番号、競技場、投票方法の種類（式別）、購入金額等）を書き込んだ投票用紙を購入金額と共に受け付けると、当該投票情報を印字した投票券を発券する。
【０００３】
投票者は、このような投票券発券装置を利用して、別の競技場で実施されるレースに対しても投票を行うことができる。また、近年では、例えば、競輪場内で、当日開催の競馬等他の業種のレースを発売する併売等も実施されており、併売数も増加している。したがって、投票券発券装置が設置されている発券場には、各競技場や他業種等で実施されているレースを表示する複数のモニタも設置されており、投票者は当該モニタにより他競技場で実施されるレースを観戦することができる。
【０００４】
このような購入方法により投票者が購入した投票券は様々な競技場で実施されるレースを含む場合がある。例えば、様々な競技場のレースの投票券を購入した投票者が特観席で現在いる競技場のレースを直に観戦しながら、モニタにより他競技場で実施されるレースを観戦する。この場合には、投票者は、他競技場のレースに対して多数の投票券を購入していたり、または、現在いる競技場のレースに観戦に夢中になったりすると、モニタが表示する他競技場のレースを見逃してしまうおそれがある。そこで、モニタに購入した投票券の内容を登録しておくことで、購入した投票券のレースが実施される際に、モニタが当該レースを表示するチャンネルに切り替える方法が提案されている（例えば、特許文献１参照）。
【先行技術文献】
【特許文献】
【０００５】
【特許文献１】特開２０１４−９２８１２号公報
【発明の概要】
【発明が解決しようとする課題】
【０００６】
しかし、特観席以外の、例えば、通常の発券場において、ファンが投票券発券装置で投票券を購入した場合には、当該投票券のレースを表示するモニタがどこにあるのかを把握することが難しく、また、当該モニタの探し出しに時間を要し、レースを見逃してしまう場合もある。更に、他業種のレースを発売する併売等もあり、なお更、当該モニタの探し出しに時間を要しているのが実情である。
【０００７】
本発明は、このような点に鑑みてなされたものであり、投票したレースを表示する表示装置を案内する投票券発券処理システム及び表示案内処理装置を提供することを目的とする。
【課題を解決するための手段】
【０００８】
本発明の一観点によれば、公営競技のレースに対する投票を受け付けて、前記投票に関する投票情報を印字した投票券を発券する投票券発券装置と、競技場と前記競技場で実施されるレースを表示する表示装置とを対応付けた表示競技場情報に基づいて、前記レースを前記表示装置に表示させる映像編集装置と、前記投票券発券装置から前記投票情報を受け付け、前記映像編集装置から前記表示競技場情報を受け付ける受付部と、前記表示競技場情報に基づき、前記投票情報に含まれる投票対象レースが実施される前記競技場に対応する前記表示装置を特定する特定部と、前記投票券発券装置に、前記投票情報と共に、前記競技場で実施される前記レースが、特定した前記表示装置に表示されることを印字させた投票券を発券させる印字要求部と、を有する表示案内処理装置と、を含む投票券発券処理システムが提供される。
【発明の効果】
【０００９】
開示の技術によれば、投票したレースを表示する表示装置を案内することで、当該レースの見逃しを防止することができる。
【図面の簡単な説明】
【００１０】
【図１】第１の実施の形態の投票券発券処理システムを示す図である。
【図２】第２の実施の形態の投票券発売所の一例を模式的に示す図である。
【図３】第２の実施の形態の投票券発券処理システムを示す図である。
【図４】第２の実施の形態の投票券発券処理システムが含む投票券発券装置のハードウェア構成例を示す図である。
【図５】第２の実施の形態の投票券発券処理システムが含む表示案内処理装置のハードウェア構成例を示す図である。
【図６】第２の実施の形態の携帯端末装置のハードウェア構成例を示す図である。
【図７】第２の実施の形態の投票券発券処理システムが含む表示案内処理装置が備える機能の一例を示すブロック図である。
【図８】第２の実施の形態の投票券発券処理システムが含む表示案内処理装置が備えるモニタ位置情報の一例を示す図である。
【図９】第２の実施の形態の投票券発券処理システムが含む投票券発券装置から受け付ける投票券発券装置位置情報及び投票情報の一例を示す図である。
【図１０】第２の実施の形態の投票券発券処理システムが含む映像編集装置から受け付ける表示競技場情報及び発走時刻情報の一例を示す図である。
【図１１】第２の実施の形態の投票券発券処理システムが含む表示案内処理装置で算出されたモニタ距離情報の一例を示す図である。
【図１２】第２の実施の形態の投票券発券処理システムで実行される投票券発券処理を示すフローチャートである。
【図１３】第２の実施の形態の投票券発券処理システムで実行される投票券発券処理により得られるモニタ配置図及び投票券の一例を模式的に示す図である。
【図１４】第３の実施の形態の投票券発券処理システムで実行される投票券発券処理を示すフローチャートである。
【図１５】第３の実施の形態の投票券発券処理システムで実行される投票券発券処理により得られるモニタ配置図及び投票券の一例を模式的に示す図である。
【図１６】第４の実施の形態の投票券発券処理システムで実行されるモニタ配置図表示処理を示すフローチャートである。
【発明を実施するための形態】
【００１１】
以下、図面を参照して実施の形態について説明する。
［第１の実施の形態］
第１の実施の形態の投票券発券処理システムは、投票情報を受け付けて投票券を発券する投票券発券装置に、投票情報と共に、競技場で実施される投票対象レースを表示する表示装置とを投票券に印字させて発券させるものである。なお、投票券発券装置は、有人・無人を問わず、また、投票券発売装置や投票券発払い装置も含まれる。
【００１２】
このような投票発券処理システムについて、図１を用いて説明する。
図１は、第１の実施の形態の投票券発券処理システムを示す図である。
投票券発券処理システム１は、投票券発券装置１０と、映像編集装置２０と、表示案内処理装置３０とを含む。
【００１３】
投票券発券装置１０は、公営競技のレースに対する投票を受け付けて、投票に関する投票情報を印字した投票券２を発券する。
映像編集装置２０は、競技場と当該競技場で実施されるレースを表示する表示装置４０ａ〜４０ｃとを対応付けた表示競技場情報２１に基づいて、レースを表示装置４０ａ〜４０ｃに表示させる。映像編集装置２０には、複数の表示装置４０ａ〜４０ｃがそれぞれ接続されており、各競技場からの中継放送を受け付けて、各表示装置４０ａ〜４０ｃに各競技場で実施されるレースの模様を表示する。
【００１４】
また、表示競技場情報２１は、各表示装置４０ａ〜４０ｃの識別番号に、各表示装置４０ａ〜４０ｃに表示させるレースが実施される競技場をそれぞれ対応付けたものである。例えば、図１に示す表示競技場情報２１は、識別番号が１の表示装置４０ａには、競技場Ａ場で実施されるレースが表示されることを表している。
【００１５】
表示案内処理装置３０は、情報保持部３１と、受付部３２と、特定部３３と、印字要求部３４とを含む。
情報保持部３１は、投票券発券装置１０及び映像編集装置２０からそれぞれ受け付けた各種情報を保持する。
【００１６】
受付部３２は、投票券発券装置１０から投票情報を受け付け、映像編集装置２０から表示競技場情報２１を受け付ける。受付部３２は、受け付けたこれらの情報を情報保持部３１に保持させる。
【００１７】
特定部３３は、表示競技場情報２１に基づき、投票情報に含まれる投票対象レースが実施される競技場に対応する表示装置４０ａ〜４０ｃを特定する。
印字要求部３４は、投票券発券装置１０に、投票情報と共に、競技場で実施されるレースが、特定した表示装置４０ａ〜４０ｃに表示されることを印字させる。
【００１８】
なお、表示案内処理装置３０が有する受付部３２と、特定部３３と、印字要求部３４は、表示案内処理装置３０が備える中央処理装置（ＣＰＵ：Central Processing Unit）によりプログラムが実行されることにより実現される。
【００１９】
このような構成を備える投票券発券処理システム１で実行される投票券発券処理について説明する。
投票券発券装置１０は、投票者から、所望のレースに対する投票情報を書き込んだ投票用紙と共に購入金を受け付ける。なお、この場合には、投票情報の投票対象レースがＢ場で実施されるものとする。
【００２０】
表示案内処理装置３０では、受付部３２が、投票券発券装置１０から当該投票情報と、映像編集装置２０から表示競技場情報２１とを受け付けて、これらの情報を情報保持部３１に保持させる。
【００２１】
特定部３３は、表示競技場情報２１に基づき、投票情報に含まれる投票対象レースが実施される競技場（Ｂ場）に対応する表示装置４０ｂ（表示装置２）を特定する。
印字要求部３４は、投票券発券装置１０に、投票情報と共に、特定した表示装置４０ｂ（表示装置２）で、競技場（Ｂ場）で実施されるレースが表示されることを印字させる。
【００２２】
投票券発券装置１０は、競技場（Ｂ場）で実施されるレースが表示装置４０ｂ（表示装置２）で表示されることを印字した投票券２を発券する。
投票者は、投票券発券装置１０から発券された投票券２を受け取ると、投票券２の印字面から、投票したレースを表示する表示装置が案内されるために、投票したレースを表示する表示装置を把握することができるようになる。このため、投票者は、投票したレースを表示する表示装置を探し出しやすくなり、また、表示装置を探している間にレースが終了してレースを見逃してしまうことが防止されるようになる。
【００２３】
［第２の実施の形態］
第２の実施の形態では、第１の実施の形態の投票券発券処理システムをより詳細に説明する。
【００２４】
まず、投票券発券処理システムが適用される投票券発売所について、図２を用いて説明する。
図２は、第２の実施の形態の投票券発売所の一例を模式的に示す図である。
【００２５】
投票券発売所５０には、投票券発券装置１００ａ〜１００ｅ（各識別番号を０１〜０５とする）と、各競技場で実施されるレースを表示するモニタ６００ａ〜６００ｊ（各識別番号を０１〜１０とする）とが、図２に示されるようにそれぞれ配置されている。
【００２６】
なお、以下では、投票券発券装置１００ａ〜１００ｅのうちいずれかを意味する場合には、投票券発券装置１００と、モニタ６００ａ〜６００ｊのうちいずれかを意味する場合には、モニタ６００と、それぞれ表記する。
【００２７】
このような投票券発売所５０では、投票者は、投票券発券装置１００にて投票券を購入し、モニタ６００で各競技場でのレースを観戦することができる。また、投票者の中には、携帯端末装置９００を保持する者もいる。
【００２８】
なお、図２に示す投票券発売所５０では、投票券発売所５０の左下を原点として、Ｘ方向（図２中右方向）及びＹ方向（図２中上方向）にそれぞれ目盛りを付している。この目盛りにより、各投票券発券装置１００ａ〜１００ｅ及び各モニタ６００ａ〜６００ｊの配置位置が定められる。
【００２９】
次に、このような投票券発売所５０に配置された投票券発券処理システムについて、図３を用いて説明する。
図３は、第２の実施の形態の投票券発券処理システムを示す図である。
【００３０】
投票券発券処理システム１０００は、投票券発売所５０側に設置される、投票券発券装置１００ａ〜１００ｅと、表示案内処理装置２００と、投票処理管理装置３００とを含み、公営競技管理センタ（図示を省略）側に設置される公営競技ホストコンピュータ５００ａを含む。
【００３１】
投票券発券装置１００ａ〜１００ｅは、投票者から投票（投票に関する投票情報）と共に購入金を受け付けて、投票情報を印字した投票券を発券する。
表示案内処理装置２００は、投票を受け付けた投票券発券装置１００ａ〜１００ｅからその配置位置を示す投票券発券装置位置情報と、投票券発券装置１００ａ〜１００ｅからの投票情報とを受け付け、後述する映像編集装置７００から後述する表示競技場情報及び発走時刻情報を受け付ける。また、表示案内処理装置２００は、投票券発券装置１００ａ〜１００ｅに、投票券に、投票情報と共に、投票情報に含まれるレースを表示するモニタ６００を印字させる。また、投票券発券装置１００ａ〜１００ｅは、必要に応じて、投票処理管理装置３００から情報を投票券発券装置１００ａ〜１００ｅに送信し、また、投票券発券装置１００ａ〜１００ｅからの情報を投票処理管理装置３００に送信する。
【００３２】
投票処理管理装置３００は、各投票券発券装置１００ａ〜１００ｅから（表示案内処理装置２００を介して）受け付けた投票情報を、ネットワーク４００ａを介して、公営競技ホストコンピュータ５００ａに送信する。投票処理管理装置３００は、このように投票券発券装置１００ａ〜１００ｅの投票処理の管理を実行する。
【００３３】
公営競技ホストコンピュータ５００ａは、投票処理管理装置３００から送信された投票情報を集計、管理する。
また、投票券発券処理システム１０００は、投票券発売所５０側に設置されるモニタ６００ａ〜６００ｊと、映像編集装置７００と、公営競技情報サーバ８００とを含み、公営競技管理センタ（図示を省略）側に設置される公営競技ホストコンピュータ５００ｂ及び映像設備装置５００ｃを含む。
【００３４】
モニタ６００ａ〜６００ｊは、各競技場で実施されるレースを表示する。
映像編集装置７００は、モニタ６００ａ〜６００ｊと、当該モニタ６００ａ〜６００ｊに表示させるレースが実施される競技場とを対応付けた表示競技場情報（後述）に基づいて、各モニタ６００ａ〜６００ｊに競技場で実施されるレースの映像を、後述する公営競技情報サーバ８００から送信されたレースに関する情報と共に表示させる。レースに関する情報とは、例えば、競馬であれば、馬の番号、騎手名等である。映像編集装置７００は、レースの映像と共にこのような情報をモニタ６００ａ〜６００ｊに表示させることで、レースを見やすくする。
【００３５】
公営競技情報サーバ８００は、各レースに関する情報をネットワーク４００ｂを介して公営競技ホストコンピュータ５００ｂから受け付けて、各情報を映像編集装置７００に送信する。
【００３６】
公営競技ホストコンピュータ５００ｂは、競技（レース）に関する情報を管理、集計しており、例えば、オッズ値の算出、出走表情報等を生成、配信等を行う。また、公営競技ホストコンピュータ５００ｂは、公営競技ホストコンピュータ５００ａと通信可能に接続されており、それぞれが管理する情報を相互にやり取りすることができる。
【００３７】
映像設備装置５００ｃは、各競技場で実施されているレースの映像を各競技場から受け付けて、ネットワーク４００ｃを介して各投票券発売所５０に設けられている映像編集装置７００に配信する。
【００３８】
次に、投票券発券処理システム１０００が備える各装置のハードウェア構成について説明する。
まず、投票券発券装置１００ａ〜１００ｅのハードウェア構成例について図４を用いて説明する。
【００３９】
図４は、第２の実施の形態の投票券発券処理システムが含む投票券発券装置のハードウェア構成例を示す図である。
投票券発券装置１００ａ〜１００ｅは、図４に示されるように、制御ユニット１１０と、ディスプレイ１１１、管理者用ディスプレイ１１２を備える。投票券発券装置１００ａ〜１００ｅは、ディスプレイ１１１に設置されたタッチパネル１２１と、管理者用ディスプレイ１１２に設置された管理者用タッチパネル１２２、紙幣処理ユニット１３１、硬貨処理ユニット１３２を備える。また、投票券発券装置１００ａ〜１００ｅは、投票券発券ユニット１４１と、払戻投票券読取ユニット１４２を備える。さらに、投票券発券装置１００ａ〜１００ｅは、マークカード読取ユニット１５０と、二次元コード読取ユニット１６０を備える。
【００４０】
制御ユニット１１０はＣＰＵ１１０ａを含み、ＣＰＵ１１０ａによって投票券発券装置１００全体が制御されている。ＣＰＵ１１０ａには、バス１１０ｈを介してＲＡＭ１１０ｂと、ＨＤＤ（Hard Disk Drive）１１０ｃと、グラフィック処理部１１０ｄと、入出力インタフェース１１０ｅと、ディスクドライブ１１０ｆと、通信制御部１１０ｇとが接続されている。
【００４１】
ＲＡＭ１１０ｂには、ＣＰＵ１１０ａに実行させるＯＳのプログラムやアプリケーションプログラムの少なくとも一部が一時的に格納される。また、ＲＡＭ１１０ｂには、ＣＰＵ１１０ａによる処理に必要な各種データが格納される。また、このような情報の他に、投票券発券装置１００ａ〜１００ｅごとの投票券発売所５０内の配置位置（投票券発券装置位置情報）が格納されている。
【００４２】
ＨＤＤ１１０ｃには、ＯＳやアプリケーションプログラムが格納される。
グラフィック処理部１１０ｄには、ディスプレイ１１１と、管理者用ディスプレイ１１２が接続されている。グラフィック処理部１１０ｄは、ＣＰＵ１１０ａからの命令に従って、画像をディスプレイ１１１の画面と、管理者用ディスプレイ１１２の画面に表示させる。なお、管理者用ディスプレイ１１２は、投票券発券装置１００の裏面側に備えられる管理者向けの情報表示装置である。
【００４３】
入出力インタフェース１１０ｅには、タッチパネル１２１と、管理者用タッチパネル１２２と、紙幣処理ユニット１３１と、硬貨処理ユニット１３２とが接続されている。また、入出力インタフェース１１０ｅには、投票券発券ユニット１４１と、払戻投票券読取ユニット１４２が接続されている。さらに、入出力インタフェース１１０ｅには、マークカード読取ユニット１５０と、二次元コード読取ユニット１６０が接続されている。入出力インタフェース１１０ｅは、タッチパネル１２１と、管理者用タッチパネル１２２と、紙幣処理ユニット１３１と、硬貨処理ユニット１３２と、投票券発券ユニット１４１と、払戻投票券読取ユニット１４２と、マークカード読取ユニット１５０と、二次元コード読取ユニット１６０とから送られてくる信号を、バス１１０ｈを介してＣＰＵ１１０ａに送信する。なお、管理者用タッチパネル１２２は、投票券発券装置１００ａ〜１００ｅの裏面側に備えられる管理者向けの情報入力装置である。
【００４４】
紙幣処理ユニット１３１は、紙幣の受け入れ、紙幣の真贋の鑑別、紙幣の収納、紙幣の返却、釣銭（紙幣）の払い出しをおこなう。
硬貨処理ユニット１３２は、硬貨の受け入れ、硬貨の真贋の鑑別、硬貨の収納、硬貨の返却、釣銭（硬貨）の払い出しをおこなう。
【００４５】
投票券発券ユニット１４１は、投票券を印刷して発券する。払戻投票券読取ユニット１４２は、投票券を受け入れて投票内容を読み取る。
マークカード読取ユニット１５０は、マークカードから投票内容を読み取るユニットである。
【００４６】
二次元コード読取ユニット１６０は、二次元コードを読み取るユニットである。なお、二次元コードは、ＱＲコード（登録商標）等で表される識別コードの総称である。また、本実施の形態では、バーコード等の１次元コードも読み取りが可能であってもよい。
【００４７】
ディスクドライブ１１０ｆは、可搬型記録媒体１７０への情報の書き込み、及び、可搬型記録媒体１７０からの情報の読出しが可能な装置である。
ディスクドライブ１１０ｆは、可搬型記録媒体１７０から読み取った信号を、バス１１０ｈを介してＣＰＵ１１０ａに送信し、ＣＰＵ１１０ａからバス１１０ｈを介して受け付けた信号を可搬型記録媒体１７０に書き込む。
【００４８】
通信制御部１１０ｇは、表示案内処理装置２００に接続されており、表示案内処理装置２００との間で情報の送受信を行う。
次いで、表示案内処理装置２００のハードウェア構成例について図５を用いて説明する。
【００４９】
図５は、第２の実施の形態の投票券発券処理システムが含む表示案内処理装置のハードウェア構成例を示す図である。
表示案内処理装置２００は、ＣＰＵ２０１を含み、ＣＰＵ２０１によって表示案内処理装置２００全体が制御されている。ＣＰＵ２０１には、バス２０９を介してＲＡＭ２０２と、ＨＤＤ２０３と、入出力インタフェース２０４と、グラフィック処理部２０５と、可搬型記録媒体２０８への情報の書き込み、及び、可搬型記録媒体２０８からの情報の読出しが可能なディスクドライブ２０６と、通信制御部２０７とが接続されている。
【００５０】
なお、表示案内処理装置２００は、投票券発券装置１００ａ〜１００ｅが備える構成で同一のものを備えているために、これらの説明については省略する。
入出力インタフェース２０４には、各投票券発券装置１００ａ〜１００ｅと、映像編集装置７００とが互いに情報の送受信可能に接続されている。
【００５１】
通信制御部２０７は、投票処理管理装置３００に接続されており、投票処理管理装置３００との間で情報の送受信を行う。
なお、投票券発券処理システム１０００が備える投票処理管理装置３００と、公営競技ホストコンピュータ５００ａ，５００ｂと、映像設備装置５００ｃと、映像編集装置７００と、公営競技情報サーバ８００とも、表示案内処理装置２００と同様に、少なくとも、ＣＰＵにより装置全体が制御され、ＣＰＵには、バスを介してＲＡＭと、ＨＤＤと、入出力インタフェースと、グラフィック処理部と、ディスクドライブと、通信制御部とが接続されている。また、映像設備装置５００ｃ及び映像編集装置７００は、例えば、テレビチューナ等の映像配信に必要な構成を有する。
【００５２】
次いで、携帯端末装置９００のハードウェア構成例について図６を用いて説明する。
図６は、第２の実施の形態の携帯端末装置のハードウェア構成例を示す図である。
携帯端末装置９００は、図６に示されるように、制御ユニット９１０と、制御ユニット９１０に接続されているディスプレイ９１１と、タッチパネル９１２と、カメラ９１３と、マイク９１４と、スピーカ９１５とを備えている。
【００５３】
制御ユニット９１０はＣＰＵ９１０ａを含み、ＣＰＵ９１０ａによって携帯端末装置９００全体が制御されている。ＣＰＵ９１０ａには、バス９１０ｈを介して、ＲＡＭ９１０ｂと、フラッシュメモリ９１０ｃと、グラフィック処理部９１０ｄと、入出力インタフェース９１０ｅと、音声処理部９１０ｆと、無線通信モジュール９１０ｇとが接続されている。
【００５４】
これらのうちで、ＲＡＭ９１０ｂと、グラフィック処理部９１０ｄと、入出力インタフェース９１０ｅとは、投票券発券装置１００も同様に備えているために、これらの説明については省略する。
【００５５】
なお、入出力インタフェース９１０ｅには、ディスプレイ９１１に設置されたタッチパネル９１２と、カメラ９１３とが接続されている。入出力インタフェース９１０ｅは、タッチパネル９１２と、カメラ９１３とから送られてくる信号を、バス９１０ｈを介してＣＰＵ９１０ａに送信する。
【００５６】
フラッシュメモリ９１０ｃには、ＯＳやアプリケーションプログラムが格納される。
音声処理部９１０ｆは、マイク９１４及びスピーカ９１５が接続されて、音声信号処理を行う。具体的には、音声処理部９１０ｆは、マイク９１４から音声アナログ信号を取得し、必要な信号変換処理を行ってバス９１０ｈを介してＣＰＵ９１０ａに音声データを出力する。また、音声処理部９１０ｆは、ＣＰＵ９１０ａからバス９１０ｈを介して音声データを取得し、必要な信号変換処理を行ってスピーカ９１５に音声再生させる。
【００５７】
無線通信モジュール９１０ｇは、無線信号処理を行い、基地局等他の通信装置との無線通信を実現する。無線通信モジュール９１０ｇは、携帯端末装置９００に搭載されたアンテナ（図示を省略）を介して受信した信号を復調・復号し、得られた受信データをバス９１０ｈを介してＣＰＵ９１０ａに出力する。また、無線通信モジュール９１０ｇは、ＣＰＵ９１０ａからバス９１０ｈを介して取得した送信データを符号化・変調し、得られた送信信号をアンテナを介して出力する。
【００５８】
なお、携帯端末装置９００は、カメラ９１３で撮像した二次元コードを二次元コードの元の情報に変換するための専用のアプリが、例えば、フラッシュメモリ９１０ｃに格納されている。このようなアプリは、例えば、携帯端末装置９００の無線通信モジュール９１０ｇにより、別の管理サーバ（図示しない）に通信して、ダウンロードされる。
【００５９】
次に、表示案内処理装置２００が備える機能について、図７を用いて説明する。
図７は、第２の実施の形態の投票券発券処理システムが含む表示案内処理装置が備える機能の一例を示すブロック図である。
【００６０】
また、図８は、第２の実施の形態の投票券発券処理システムが含む表示案内処理装置が備えるモニタ位置情報の一例を示す図である。図９は、第２の実施の形態の投票券発券処理システムが含む投票券発券装置から受け付ける投票券発券装置位置情報及び投票情報の一例を示す図であり、図９（Ａ）は投票券発券装置位置情報を、図９（Ｂ）は投票情報をそれぞ示している。図１０は、第２の実施の形態の投票券発券処理システムが含む映像編集装置から受け付ける表示競技場情報及び発走時刻情報の一例を示す図であり、図１０（Ａ）は、表示競技場情報を、図１０（Ｂ）は、発送時刻情報をそれぞれ示している。さらに、図１１は、第２の実施の形態の投票券発券処理システムが含む表示案内処理装置で算出されたモニタ距離情報の一例を示す図である。
【００６１】
表示案内処理装置２００は、図７に示されるように、情報保持部２１１と、受信部２１２と、表示案内処理部２１３と、送信部２１４とを含む。
情報保持部２１１は、投票券発売所５０内に配置されているモニタ６００ａ〜６００ｊの配置位置を表すモニタ位置情報を保持する。モニタ位置情報は、図８に示されるように、モニタ６００（モニタ番号）ごとに、当該モニタ６００ａ〜６００ｊの配置位置が対応付けられている。モニタ６００ａ〜６００ｊの配置位置は、図２に示すＸ方向、Ｙ方向に付した目盛りにより座標形式で表示されている。
【００６２】
また、情報保持部２１１は、後述する受信部２１２が投票券発券装置１００から受け付けた、投票を受け付けた投票券発券装置１００の位置情報（投票券発券装置位置情報）と、投票情報とを保持する。
【００６３】
投票券発券装置位置情報は、図９（Ａ）に示されるように、投票を受け付けた投票券発券装置１００（投票券発券装置番号）に、当該投票券発券装置１００の配置位置が対応付けられた情報である。なお、当該投票券発券装置１００の配置位置も、図２に示すＸ方向、Ｙ方向に付した目盛りにより座標形式で表示されている。
【００６４】
投票情報は、レースに対して投票した投票内容を表し、図９（Ｂ）に示されるように、例えば、「（競技場の）場名」、「レース」、「式別」、「買目」、「金額」の情報を含む。
【００６５】
また、情報保持部２１１は、後述する受信部２１２が映像編集装置７００から受け付けた表示競技場情報と、発走時刻情報とを保持する。
表示競技場情報は、図１０（Ａ）に示されるように、競技場（場名）と、当該競技場で実施されるレースを表示するモニタ６００ａ〜６００ｊ（モニタ番号）とが対応付けられた情報である。
【００６６】
発走時刻情報は、図１０（Ｂ）に示されるように、各競技場（場名）のレースの開始時刻を表す情報である。
さらに、情報保持部２１１は、後述する表示案内処理部２１３により生成された投票券発券装置１００とモニタ６００との間の距離を表すモニタ距離情報を保持する。
【００６７】
モニタ距離情報は、図１１に示されるように、投票を受け付けた投票券発券装置１００から各モニタ６００ａ〜６００ｊまでの距離Ｌ１〜Ｌ７を表す情報である。当該情報の詳細については後述する。
【００６８】
図３、図７に示されるように、受信部２１２は、投票券発券装置１００が投票を受け付けると、当該投票券発券装置１００からその投票に関する投票情報と、当該投票券発券装置１００の位置情報（投票券発券装置位置情報）とを受け付ける。また、受信部２１２は、映像編集装置７００から表示競技場情報を受け付ける。受信部２１２は、その他、投票処理管理装置３００からの情報を受け付ける。
【００６９】
表示案内処理部２１３は、情報保持部２１１が保持する投票券発券装置位置情報と、モニタ位置情報とを利用して、投票を受け付けた投票券発券装置１００から各モニタ６００ａ〜６００ｊまでの距離を算出して、モニタ距離情報を生成し、生成したモニタ距離情報を情報保持部２１１に保持させる。表示案内処理部２１３は、情報保持部２１１が保持する表示競技場情報に基づき、情報保持部２１１が保持する投票情報に含まれる場名に対応するモニタ６００を特定し、当該モニタ６００のモニタ配置図を生成する。表示案内処理部２１３は、情報保持部２１１が保持する発走時刻情報に基づき、情報保持部２１１が保持する投票情報に含まれるレースの発走時刻を特定する。表示案内処理部２１３は、特定したこれらの情報から投票券に印字可能な形式の印字情報（表示案内情報）を生成して、当該情報の印字要求を、投票を受け付けた投票券発券装置１００に送信する。なお、表示案内処理部２１３の具体的な処理については後述する。
【００７０】
送信部２１４は、表示案内処理部２１３で生成された印字情報と印字要求とを投票券発券装置１００に送信する。
次に、このような構成を有する投票券発券処理システム１０００で実行される投票券発券処理について、図７〜図１１と共に、図１２及び図１３を用いて説明する。
【００７１】
図１２は、第２の実施の形態の投票券発券処理システムで実行される投票券発券処理を示すフローチャートである。
また、図１３は、第２の実施の形態の投票券発券処理システムで実行される投票券発券処理により得られるモニタ配置図及び投票券の一例を模式的に示す図であり、図１３（Ａ）は、モニタ６００ａ〜６００ｊのモニタ配置図を、図１３（Ｂ）は、発券された投票券をそれぞれ模式的に示している。
【００７２】
［ステップＳ１１］  投票券発券装置１００（例えば、図２の「投票券発券装置０４」）は、投票者により、投票用紙をマークカード読取ユニット１５０から受け付けて、投票券の購入金を紙幣処理ユニット１３１並びに硬貨処理ユニット１３２から受け付ける。
【００７３】
なお、投票用紙は、いわゆるマークカードであって、投票者により、所望のレースに関する投票情報（場名、レースの番号、式別、買目、購入金額等）がマークされている。
［ステップＳ１２］  投票券発券装置１００は、このような投票用紙から投票情報を読み取り、読み取った投票情報（図９（Ｂ））と、投票券発券装置１００の投票券発券装置位置情報（図９（Ａ））とを表示案内処理装置２００に送信する。
【００７４】
［ステップＳ１３］  表示案内処理装置２００では、受信部２１２が、投票券発券装置位置情報と投票情報とを受信し、それぞれ情報保持部２１１に保持させる。
表示案内処理部２１３は、情報保持部２１１に予め保持されているモニタ位置情報（図８）と、投票券発券装置位置情報とを用いて、投票を受け付けた投票券発券装置１００（「投票券発券装置０４」）から各モニタ６００ａ〜６００ｊ（図２の「モニタ０１」〜「モニタ１０」）までの距離を算出して、各モニタ６００ａ〜６００ｊまでの距離を表すモニタ距離情報（図１１）を生成する。
【００７５】
なお、図１１に示すモニタ距離情報では、図２において「投票券発券装置０４」から「モニタ０１」〜「モニタ１０」までの直線の距離Ｌ１〜Ｌ７（距離Ｌ１〜Ｌ７の長さは、Ｌ１＜Ｌ２＜……＜Ｌ６＜Ｌ７である）を含む。したがって、図１１から、「投票券発券装置０４」から最も近いモニタ６００は、「モニタ０３」及び「モニタ０４」であり、最も遠いモニタ６００は、「モニタ１０」であることが分かる。
【００７６】
［ステップＳ１４］  表示案内処理部２１３は、送信部２１４を介して、映像編集装置７００に、表示競技場情報送信要求を送信する。
［ステップＳ１５］  映像編集装置７００は、表示競技場情報送信要求を受信すると、表示競技場情報（図１０（Ａ））を、表示案内処理装置２００に送信する。
【００７７】
なお、第２の実施の形態では、ステップＳ１４，Ｓ１５の処理を経て、表示案内処理装置２００が表示競技場情報を取得しているが、表示競技場情報は事前に表示案内処理装置２００に保持させておいても構わない。この場合には、ステップＳ１４，Ｓ１５の処理は省略される。
【００７８】
［ステップＳ１６］  表示案内処理装置２００では、受信部２１２が表示競技場情報を受信して、表示競技場情報を情報保持部２１１に保持させる。
表示案内処理部２１３は、情報保持部２１１が保持する投票情報及び表示競技場情報を参照して、投票情報に含まれるレースが実施される場名に対応するモニタ番号を特定する。
【００７９】
特に、表示案内処理部２１３は、特定したモニタ６００が複数ある場合には、ステップＳ１３で生成したモニタ距離情報に基づいて、投票を受け付けた投票券発券装置１００に最も近いモニタ６００（最短距離モニタ）の配置位置を特定するようにする。
【００８０】
例えば、第２の実施の形態では、表示案内処理部２１３は、投票情報（図９（Ｂ））に含まれるレースが実施される「Ｃ場」（場名）が、表示競技場情報（図１０（Ａ））から「モニタ０３」（その位置情報は（ｘ９，ｙ１１））及び「モニタ０７」（その位置情報は（ｘ１９，ｙ９））で表示されることを特定し、さらに、モニタ距離情報（図１１）に基づき、「投票券発券装置０４」から最も近い「モニタ０３」を選択する。
【００８１】
［ステップＳ１７］  表示案内処理部２１３は、モニタ位置情報（図８）と、ステップＳ１６で特定したモニタ６００の位置情報とからモニタ配置図を生成する。
例えば、表示案内処理部２１３は、図１３（Ａ）に示されるように、投票券を購入した（投票を受け付けた）「投票券発券装置０４」の配置位置（ｘ１０，ｙ９）と、モニタ位置情報（図８）と、「Ｃ場」で実施される投票したレースを表示する「モニタ０３」（その位置情報は（ｘ９，ｙ１１））の位置とを強調した配置図を生成する。なお、表示案内処理部２１３は、このようにして生成された配置図を、情報保持部２１１に保持させる。
【００８２】
［ステップＳ１８］  表示案内処理部２１３は、送信部２１４を介して、映像編集装置７００に、発走時刻情報送信要求を送信する。
［ステップＳ１９］  映像編集装置７００は、発走時刻情報送信要求を受信すると、発走時刻情報（図１０（Ｂ））を、表示案内処理装置２００に送信する。
【００８３】
［ステップＳ２０］  表示案内処理装置２００では、受信部２１２が発走時刻情報を受信して、発走時刻情報を情報保持部２１１に保持させる。
表示案内処理部２１３は、情報保持部２１１が保持する投票情報及び発走時刻情報を参照して、投票情報に含まれるレースの発走時刻を特定する。
【００８４】
例えば、第２の実施の形態では、表示案内処理部２１３は、投票情報（図９（Ｂ））に含まれる「Ｃ場」で実施される「８レース」が、発走時刻情報（図１０（Ｂ））に基づき発走時刻が「１６：００」であることを特定する。
【００８５】
なお、第２の実施の形態では、発走時刻情報をステップＳ１８，Ｓ１９の処理を経て、表示案内処理装置２００が取得しているが、発走時刻情報は事前に表示案内処理装置２００に保持させておいても構わない。この場合には、ステップＳ１８，Ｓ１９の処理は省略される。
【００８６】
［ステップＳ２１］  表示案内処理部２１３は、ステップＳ１６で特定したモニタ６００（及びその位置情報）と、ステップＳ２０で特定した発走時刻とを併合して、表示案内情報を生成する。
【００８７】
例えば、表示案内処理部２１３は、ステップＳ１６で特定した「モニタ０３（その位置情報は（ｘ９，ｙ１１））」と、ステップＳ２０で特定した発走時刻「１６：００」とを併合して、表示案内情報として「発走時刻：１６：００、最短距離モニタ：モニタ０３（その位置情報は（ｘ９，ｙ１１））」を生成する。
【００８８】
また、表示案内処理装置２０３は、表示案内情報に、ステップＳ１７で生成したモニタ配置図も併合することができる。但し、後述するように、投票券の紙面の都合上、当該モニタ配置図は、投票券の裏面に印字するようにすることも可能である。また、表面の空きスペースに印字してもよい。
【００８９】
また、表示案内処理部２１３は、このような表示案内情報から変換した二次元コードとして、例えば、ＱＲコードを生成することも可能である。
なお、このようなＱＲコードに対応付けた表示案内情報に、ステップＳ１７で生成したモニタ配置図に対応付けたＵＲＬ（Uniform Resource Locator）も併合させて、ＱＲコードを読み取ることでモニタ配置図をインターネットで閲覧可能にしておくこともできる。
【００９０】
［ステップＳ２２］  表示案内処理部２１３は、ステップＳ１２で送信した投票券発券装置位置情報に対応する投票券発券装置１００（第２の実施の形態の場合では、「投票券発券装置０４」）に、送信部２１４を介して、ステップＳ２１で生成した表示案内情報の印字要求を送信する。
【００９１】
［ステップＳ２３］  投票券発券装置１００は、表示案内処理装置２００から表示案内情報の印字要求を受信すると、投票券発券ユニット１４１により、ステップＳ１１で受け付けた投票情報と共に当該表示案内情報を投票券に印字し、当該投票券を発券する。
【００９２】
このようにして発券された投票券２０００は、図１３（Ｂ）に示されるように、当該投票券２０００の図中右上部の表示案内情報領域２１００に、「発走時刻：１６：００」と「最短距離モニタ：モニタ０３」とを含む表示案内情報が印字される。なお、投票券２０００には、位置情報の印字を行ってもよい。また、投票券発券ユニット１４１が投票券２０００の裏面側にも印字可能である場合には、当該裏面にモニタ配置図（図１３（Ａ））を印字することも可能である。
【００９３】
また、図１３（Ｂ）の投票券２０００の表示案内情報領域２１００にＱＲコードも印字されている場合を示している。投票者が、ＱＲコードを読み取ることができる、例えば、携帯端末装置９００を保持する場合には、当該携帯端末装置９００のカメラ９１３によりＱＲコードを取得し、所定のアプリによりＱＲコードからＵＲＬに変換し、ＵＲＬにアクセスすることで、携帯端末装置９００のディスプレイ９１１にモニタ配置図（図１３（Ａ））を表示させることができる。
【００９４】
このように上記投票券発券処理システム１０００では、表示案内処理装置２００が、投票券発券装置１００から受け付けた投票情報と、映像編集装置７００から受け付けた表示競技場情報とから、競技場で実施される投票対象レースを表示するモニタ６００を特定し、当該モニタ６００のモニタ配置図を生成する。表示案内処理装置２００は、投票券発券装置１００から受け付けた投票券発券装置位置情報と、モニタ位置情報とから、特定したモニタ６００のうち最短距離のモニタ６００を選択する。さらに、表示案内処理装置２００は、表示案内処理装置２００が、投票券発券装置１００から受け付けた投票情報と、映像編集装置７００から受け付けた発走時刻情報とから、投票対象レースの発走時刻を特定する。表示案内処理装置２００は、このようにして特定した投票券発券装置１００から最短距離のモニタ６００と、当該レースの発走時刻とを、投票券発券装置１００に投票情報と共に投票券に印字させるようにした。投票者は、このようにして投票券発券装置１００から発券された投票券により、投票した投票券発券装置１００からの最短距離に配置されている、投票したレースが表示されるモニタ６００を把握することができる。また、投票券には当該レースの発走時刻が記載されているために、投票者は、発走時刻を確認して把握したモニタ６００により当該レースを見逃すことなく観戦することができる。特に、投票者が発走時刻間近に投票券を購入した場合には、当該投票券には投票を受け付けた投票券発券装置１００から最短距離のモニタ６００が記載されていることから、投票者は、迷うことなく迅速にモニタ６００からレースを観戦することが可能となる。
【００９５】
［第３の実施の形態］
第２の実施の形態では、投票を受け付けた投票券発券装置１００から投票対象レースを表示するモニタ６００ａ〜６００ｊのうち最短距離にあるものを選択する場合を例に挙げて説明した。
【００９６】
第３の実施の形態では、投票を受け付けた投票券発券装置１００からの距離に関わらず、投票対象レースを表示するモニタ６００全てを投票券に印字する場合について、図１４及び図１５を用いて説明する。なお、第３の実施の形態は、第２の実施の形態の投票券発券処理システム１０００により実行される。
【００９７】
図１４は、第３の実施の形態の投票券発券処理システムで実行される投票券発券処理を示すフローチャートである。
図１５は、第３の実施の形態の投票券発券処理システムで実行される投票券発券処理により得られるモニタ配置図及び投票券の一例を模式的に示す図であって、図１５（Ａ）は、モニタ６００ａ〜６００ｊの配置図を、図１５（Ｂ）は、発券された投票券をそれぞれ模式的に示している。
【００９８】
なお、図１４のフローチャートは、図１２のフローチャートと同一の処理については同じ符号を付しており、それらについては簡略化して説明する。
［ステップＳ１１］  投票券発券装置１００（例えば、図２の「投票券発券装置０４」）は、投票者から、投票用紙をマークカード読取ユニット１５０から受け付けて、投票券の購入金を紙幣処理ユニット１３１並びに硬貨処理ユニット１３２から受け付ける。
【００９９】
［ステップＳ１２］  投票券発券装置１００は、このような投票用紙から投票情報を読み取り、読み取った投票情報（図９（Ｂ））と、投票券発券装置１００の投票券発券装置位置情報（図９（Ａ））とを表示案内処理装置２００に送信する。
【０１００】
［ステップＳ１４］  表示案内処理部２１３は、送信部２１４を介して、映像編集装置７００に、表示競技場情報送信要求を送信する。
［ステップＳ１５］  映像編集装置７００は、表示競技場情報送信要求を受信すると、表示競技場情報（図１０（Ａ））を、表示案内処理装置２００に送信する。
【０１０１】
［ステップＳ１６ａ］  表示案内処理装置２００では、受信部２１２が映像編集装置７００から表示競技場情報を受信して、表示競技場情報を情報保持部２１１に保持させる。
表示案内処理部２１３は、情報保持部２１１が保持する投票情報及び表示競技場情報を参照して、投票情報に含まれる投票対象レースが実施される場名（競技場）に対応するモニタ６００（モニタ番号）を特定する。
【０１０２】
例えば、第３の実施の形態では、表示案内処理部２１３は、投票情報（図９（Ｂ））に含まれる「Ｃ場」（場名）で実施されるレースが、表示競技場情報（図１０（Ａ））から「モニタ０３」（その位置情報は（ｘ９，ｙ１１））及び「モニタ０７」（その位置情報は（ｘ１９，ｙ９））で表示されることを特定する。
【０１０３】
［ステップＳ１７ａ］  表示案内処理部２１３は、モニタ位置情報（図８）と、ステップＳ１６ａで特定したモニタ６００の位置情報とから配置図を生成する。
表示案内処理部２１３は、例えば、図１５（Ａ）に示されるように、投票券を購入した（投票を受け付けた）「投票券発券装置０４」の配置位置（ｘ１０，ｙ９）と、「Ｃ場」で実施される、投票対象レースを表示する「モニタ０３」（その位置情報は（ｘ９，ｙ１１））及び「モニタ０７」（その位置情報は（ｘ１９，ｙ９））の位置とを強調した配置図を生成する。なお、表示案内処理部２１３は、このようにして生成された配置図を、情報保持部２１１に保持させる。
【０１０４】
［ステップＳ１８］  表示案内処理部２１３は、送信部２１４を介して、映像編集装置７００に、発走時刻情報送信要求を送信する。
［ステップＳ１９］  映像編集装置７００は、発走時刻情報送信要求を受信すると、発走時刻情報（図１０（Ｂ））を、表示案内処理装置２００に送信する。
【０１０５】
［ステップＳ２０］  表示案内処理装置２００では、受信部２１２が発走時刻情報を受信して、発走時刻情報を情報保持部２１１に保持させる。
表示案内処理部２１３は、情報保持部２１１が保持する投票情報及び発走時刻情報を参照して、投票情報に含まれる投票対象レースの発走時刻を特定する。
【０１０６】
例えば、第３の実施の形態では、表示案内処理部２１３は、投票情報（図９（Ｂ））に含まれる「Ｃ場」で実施される「８レース」が、発走時刻情報（図１０（Ｂ））に基づき発走時刻が「１６：００」であることを特定する。
【０１０７】
［ステップＳ２１ａ］  表示案内処理部２１３は、ステップＳ１６ａで特定したモニタ６００（及びその位置情報）と、ステップＳ２０で特定した発走時刻とを併合して、表示案内情報を生成する。
【０１０８】
例えば、表示案内処理部２１３は、ステップＳ１６ａで特定した「モニタ０３」（その位置情報は（ｘ９，ｙ１１））及び「モニタ０７」（その位置情報は（ｘ１９，ｙ９））と、ステップＳ２０で特定した発走時刻「１６：００」とを併合して、表示案内情報として「発走時刻：１６：００、表示モニタ：モニタ０３，０７（その位置情報は（ｘ９，ｙ１１），（ｘ１９，ｙ９））」を生成する。
【０１０９】
なお、表示案内処理部２１３は、第２の実施の形態と同様に、このような表示案内情報に対応付けたＱＲコードを生成することも可能である。
［ステップＳ２２］  表示案内処理部２１３は、ステップＳ１２で送信した投票券発券装置位置情報に対応する投票券発券装置１００（第３の実施の形態の場合では、「投票券発券装置０４」）に、送信部２１４を介して、ステップＳ２１ａで生成した表示案内情報の印字要求を送信する。
【０１１０】
［ステップＳ２３］  投票券発券装置１００は、表示案内処理装置２００から表示案内情報の印字要求を受信すると、投票券発券ユニット１４１により、ステップＳ１１で受け付けた投票情報と共に当該表示案内情報を投票券に印字し、当該投票券を発券する。
【０１１１】
このようにして発券された投票券２０００は、図１５（Ｂ）に示されるように、当該投票券２０００の図中右上部の表示案内情報領域２２００に表示案内情報が印字される。なお、投票券２０００には、位置情報の印字を行ってもよい。表示案内情報領域２２００には、「発走時刻：１６：００」と「表示モニタ：モニタ０３，０７」とＱＲコードとが印字されている。
【０１１２】
このように上記投票券発券処理システム１０００では、表示案内処理装置２００が、投票券発券装置１００から受け付けた投票情報と、映像編集装置７００から受け付けた表示競技場情報とから、競技場で実施される投票対象レースを表示するモニタ６００を特定し、当該モニタ６００のモニタ配置図を生成する。また、表示案内処理装置２００が、投票券発券装置１００から受け付けた投票情報と、映像編集装置７００から受け付けた発走時刻情報とから、投票対象レースの発走時刻を特定する。表示案内処理装置２００は、このようにして特定した投票対象レースを表示するモニタ６００と、当該レースの発走時刻とを、投票券発券装置１００に投票情報と共に投票券に印字させるようにした。投票者は、このようにして投票券発券装置１００から発券された投票券により、投票したレースが表示されるモニタ６００を把握することができる。また、投票券には当該レースの発走時刻が記載されているために、特定したモニタ６００により当該レースを見逃すことなく観戦することができる。特に、投票者が、例えば、投票した投票券発券装置１００から一旦離れた場合でも、投票券には投票券発売所５０内の投票対象レースを表示するモニタ６００が記載されていることから、投票者は、迷うことなく確実にモニタ６００を特定して、モニタ６００からレースを観戦することが可能となる。
【０１１３】
［第４の実施の形態］
第４の実施の形態では、投票券発券装置１００が、第２，第３の実施の形態の処理によって発券された投票券２０００を用いて、投票対象レースを表示するモニタ６００のモニタ配置図を表示することができる場合について説明する。
【０１１４】
例えば、投票券２０００にモニタ配置図が記載されていない場合、また、投票者が携帯端末装置９００を持っていない場合に、投票券発券装置１００が投票対象のレースを表示するモニタ６００のモニタ配置図を表示することで、投票者はモニタ配置図を閲覧することができる。
【０１１５】
なお、第４の実施の形態では、第２の実施の形態の投票券発券処理システム１０００によりモニタ配置図表示処理が実行される。
投票券発券処理システム１０００により実行されるモニタ配置図表示処理について、図１６を用いて説明する。
【０１１６】
図１６は、第４の実施の形態の投票券発券処理システムで実行されるモニタ配置図表示処理を示すフローチャートである。
なお、図１６のフローチャートは、図１２のフローチャートと同一の処理については同じ符号を付しており、それらについては簡略化して説明する。
【０１１７】
投票者は、例えば、上記の第２の実施の形態で説明したように発券された投票券２０００（図１５（Ｂ））を保持する。投票者が投票券発券装置１００の二次元コード読取ユニット１６０に、投票券２０００のＱＲコードをかざすと、投票券発券処理システム１０００では以下のモニタ配置図表示処理が実行される。
【０１１８】
［ステップＳ３１］  投票券発券装置１００では、二次元コード読取ユニット１６０がかざされた投票券２０００のＱＲコードを読み取り、ＱＲコードから、表示案内情報に含まれる投票対象レースを表示するモニタ６００の位置情報に変換する。
【０１１９】
例えば、第４の実施の形態の場合には、ＱＲコードから、表示案内情報に含まれる投票対象レースを表示する「モニタ０３」（その位置情報は（ｘ９，ｙ１１））に変換する。
［ステップＳ３２］  投票券発券装置１００は、ステップＳ３１で投票処理レースを表示するモニタ６００の位置情報に正常に変換されると、投票対象レースを表示するモニタ６００の位置情報と、投票券発券装置１００の投票券発券装置位置情報（図９（Ａ））とを表示案内処理装置２００に送信する。
【０１２０】
［ステップＳ１３］  表示案内処理装置２００では、受信部２１２が、投票券発券装置位置情報と投票情報とを受信し、それぞれ情報保持部２１１に保持させる。
表示案内処理部２１３は、情報保持部２１１に予め保持されているモニタ位置情報（図８）と、投票券発券装置位置情報とを用いて、投票を受け付けた投票券発券装置１００（例えば、図２の「投票券発券装置０４」）から各モニタ６００ａ〜６００ｊ（図２の「モニタ０１」〜「モニタ１０」）までの距離を算出して、各モニタ６００ａ〜６００ｊまでの距離を表すモニタ距離情報（図１１）を生成する。
【０１２１】
［ステップＳ１４］  表示案内処理部２１３は、送信部２１４を介して、映像編集装置７００に、表示競技場情報送信要求を送信する。
［ステップＳ１５］  映像編集装置７００は、表示競技場情報送信要求を受信すると、表示競技場情報（図１０（Ａ））を、表示案内処理装置２００に送信する。
【０１２２】
［ステップＳ１６］  表示案内処理装置２００では、受信部２１２が表示競技場情報を受信して、表示競技場情報を情報保持部２１１に保持させる。
表示案内処理部２１３は、情報保持部２１１が保持する投票情報及び表示競技場情報を参照して、投票情報に含まれるレースが実施される場名に対応するモニタ番号を特定する。
【０１２３】
特に、表示案内処理部２１３は、特定したモニタ６００が複数ある場合には、ステップＳ１３で生成したモニタ距離情報に基づいて、投票を受け付けた投票券発券装置１００に最も近いモニタ６００（最短距離モニタ）の配置位置を特定するようにする。
【０１２４】
［ステップＳ１７］  表示案内処理部２１３は、モニタ位置情報（図８）と、ステップＳ１６で特定したモニタ６００の位置情報とからモニタ配置図を生成する。
例えば、表示案内処理部２１３は、図１３（Ａ）に示されるように、投票券を購入した（投票を受け付けた）「投票券発券装置０４」の配置位置（ｘ１０，ｙ９）と、モニタ位置情報（図８）と、「Ｃ場」で実施される投票したレースを表示する「モニタ０３」（その位置情報は（ｘ９，ｙ１１））の位置とを強調した配置図を生成する。なお、表示案内処理部２１３は、このようにして生成された配置図を、情報保持部２１１に保持させる。
【０１２５】
［ステップＳ３７］  表示案内処理装置２００では、表示案内処理部２１３が、ステップＳ１７で生成したモニタ配置図情報を、送信部２１４を介して、ステップ１３で受け付けた（投票券発券装置位置情報に対応する）投票券発券装置１００に送信する。
【０１２６】
［ステップＳ３８］  投票券発券装置１００は、受け付けたモニタ配置図情報に基づいて、ディスプレイ１１１にモニタ配置図を表示することができる。
投票者は、ディスプレイ１１１に表示されたモニタ配置図により、投票対象レースを表示するモニタ６００の位置を把握することができる。
【０１２７】
このように上記投票券発券処理システム１０００では、表示案内処理装置２００は、モニタ位置情報と、投票券発券装置１００から受け付けた投票券発券装置位置情報及び投票情報と、映像編集装置７００から受け付けた表示競技場情報とから、投票対象レースを表示するモニタ６００を特定し、特定したモニタ６００の配置位置が強調されて図示されたモニタ配置図情報を生成するようにした。投票券発券装置１００は、表示案内処理装置２００から送信されたモニタ配置図情報に基づき、モニタ配置図を表示することができるようになる。このため、投票者は、投票券発券装置１００を用いて、投票対象レースを表示するモニタ６００の位置を把握することができるようになる。
【０１２８】
なお、第４の実施の形態では、投票を受け付けた投票券発券装置１００から最短距離にあるモニタ６００を表示するように第２の実施の形態のステップＳ１３〜Ｓ１７の処理が実行される場合を例に挙げた。一方、この場合に限らず、投票対象レースを表示するモニタ６００の配置位置のみを表示するモニタ配置図を表示するように、第３の実施の形態のステップＳ１４，Ｓ１５，Ｓ１６ａ，Ｓ１７ａを適用することも可能である。また、本実施の形態では、投票券発券装置１００と表示案内処理装置２００が別々に記載されているが、表示案内処理装置２００の機能を投票券発券装置１００に持たせてもよい。
【０１２９】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１３０】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【０１３１】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１３２】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１３３】
また、プログラムで記述された処理の一部または全てを、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現してもよい。
【０１３４】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成及び応用例に限定されるものではない。
【符号の説明】
【０１３５】
１  投票券発券処理システム
２  投票券
１０  投票券発券装置
２０  映像編集装置
２１  表示競技場情報
３０  表示案内処理装置
３１  情報保持部
３２  受付部
３３  特定部
３４  印字要求部
４０ａ，４０ｂ，４０ｃ  表示装置
【図１】
2016091141.tif 000003
【図２】
2016091141.tif 000004
【図３】
2016091141.tif 000005
【図４】
2016091141.tif 000006
【図５】
2016091141.tif 000007
【図６】
2016091141.tif 000008
【図７】
2016091141.tif 000009
【図８】
2016091141.tif 000010
【図９】
2016091141.tif 000011
【図１０】
2016091141.tif 000012
【図１１】
2016091141.tif 000013
【図１２】
2016091141.tif 000014
【図１３】
2016091141.tif 000015
【図１４】
2016091141.tif 000016
【図１５】
2016091141.tif 000017
【図１６】
2016091141.tif 000018